(57)【要約】【課題】エネルギー源を交換することなく、繰り返し拘束網を射出可能な拘束網射出装置を提供することである。【解決手段】拘束網射出装置は周縁に複数の錘を付した拘束網と、その拘束網を収納する収納部と、その収納部を囲繞し、錘の発射口を形成するとともに錘を装填可能な複数の射出路と、弾性体の復元力により付勢された駆動体が射出路に装填した錘を射出する発射機構とを備えるので、弾性体を繰り返し圧縮等して復元力を再生できるのでエネルギー源の交換が不要となる。【選択図】図３
2018197645.tif 000002
【特許請求の範囲】
【請求項１】
周縁に複数の錘を付した拘束網と、
前記拘束網を収納する収納部と、
前記収納部を囲繞するように配設され、前記錘の発射口を形成するとともに前記錘を装填可能な複数の射出路と、
弾性体の復元力により付勢された駆動体が前記射出路に装填した前記錘を射出する発射機構と
を備える拘束網射出装置。
【請求項２】
前記弾性体はコイルばねであって、
前記発射機構は、前記コイルばねと、前記コイルばねの先端に取着した前記駆動体と、前記コイルばねを圧縮する加圧機構と、前記コイルばねの圧縮状態を開放するトリガー部とを有し、
前記トリガー部が前記コイルばねの圧縮状態を開放すると、前記駆動体が前記コイルばねの復元力により加速しながら移動し、前記駆動体の備える射出ピンが前記錘を打撃する
ことを特徴とする請求項１に記載の拘束網射出装置。
【請求項３】
前記射出路は、前記錘を装填するテーパー状に縮径した端部から徐々に発射口に向けて前記コイルばねの中心軸に対し放射状に傾斜する
ことを特徴とする請求項２に記載の拘束網射出装置。
【請求項４】
前記コイルばねと前記駆動体とが中心軸を同一とする筒部材の内部に配置され、
前記筒部材は前記射出路近傍に前記駆動体の移動時の空気抵抗を低減するための排気孔を有する
ことを特徴とする請求項２に記載の拘束網射出装置。
【請求項５】
前記加圧機構は前記コイルばねを任意の圧縮状態に保持する保持機構を備え、
前記筒部材は前記コイルばねの圧縮状態を視認可能な窓状孔を有する
ことを特徴とする請求項２に記載の拘束網射出装置。
【請求項６】
前記駆動体は前記筒部材との接触面に複数の畝状の凸部を、そして前記筒部材は前記駆動体との接触面に複数の溝をそれぞれの中心軸方向に備え、前記駆動体の凸部は前記筒部材の溝に沿って摺動する
ことを特徴とする請求項２に記載の拘束網射出装置。
【請求項７】
前記弾性体はコイルばねであって、
前記コイルばねと前記駆動体とが中心軸を同一とする前記射出路の内部に配置され、
前記発射機構は、前記コイルばねと、前記コイルばねの先端に取着した前記駆動体と、前記コイルばねの圧縮状態を保持する保持機構と、前記保持機構を解除してコイルばねの圧縮状態を開放するトリガー部とを有し、
前記トリガー部が前記コイルばねの圧縮状態を開放すると、前記駆動体が前記コイルばねの復元力により前記射出路内を加速しながら移動し、前記錘を射出する
ことを特徴とする請求項１に記載の拘束網射出装置。
【請求項８】
前記トリガー部は複数の前記射出路ごとに配置されたコイルばねの圧縮状態を同時に解除する解除機構を備える
ことを特徴とする請求項７に記載の拘束網射出装置。
【発明の詳細な説明】
【技術分野】
【０００１】
本発明は、暴漢や獣を拘束するための網を射出する拘束網射出装置に関する。
【背景技術】
【０００２】
従来より、この拘束網射出装置としては、例えば、特許文献１に記載されているようなものがあった。図１４は、特許文献１に記載された従来の拘束網射出装置を示すものである。
【０００３】
図１４において、拘束網投射装置は複数の錘８１を網体８０の周縁上に配設した拘束網と射出器とから成り、その射出器は放射状に錘を装填可能な射出路８２と拘束網収容部とガスボンベ８５と開封機構８４と射出スイッチ８３とを有するものである。そして、射出スイッチ８３により開封機構８４を作動させるとガスボンベ８５が開封され、ガスボンベ内の非燃焼ガスが射出路８２へ導入され、非燃焼ガスの圧力により錘８１を射出して拘束網を展開投射する。
【０００４】
また、特許文献２に記載された拘束網展開装置は、ガスボンベの代わりに燃焼性物質の燃焼によってガス圧を発生させる火工式点火器を有し、錘と拘束網とをその火工式点火器のガス圧力で噴出するものであった。
【先行技術文献】
【特許文献】
【０００５】
【特許文献１】実用新案登録第３２０３２７２号公報
【特許文献２】国際公開第２００７／０４６１９４号
【発明の概要】
【発明が解決しようとする課題】
【０００６】
しかしながら、上記従来例の特許文献１に記載の構成では、拘束網を射出するためのエネルギー源はガスなので、一度射出動作をしてしまうとガスを充填しているガスボンベを新規のものに交換する必要があり、再び拘束網を射出するためにはガスボンベの交換の手間と費用が生じた。このため本来ならば拘束網の射出訓練を十分に行う必要があるところ、それを十分に行うことは困難であるという問題があった。
【０００７】
また、特許文献２に記載の構成でも、一度射出動作をしてしまうと火工式点火器を含む拘束網噴出部を交換する必要があった。このため、費用の点から拘束網の射出訓練を十分に行うことはやはり困難であった。
【０００８】
本発明は、上記従来の課題を解決するためになされ、その目的とするところは、拘束網を射出するのに必要なエネルギー源を交換することなく、繰り返し拘束網を射出可能な拘束網射出装置を提供することにある。
【課題を解決するための手段】
【０００９】
上記従来の課題を解決する本発明に係る拘束網射出装置は、周縁に複数の錘を付した拘束網と、その拘束網を収納する収納部と、その収納部を囲繞するように配設され、錘の発射口を形成するとともに錘を装填可能な複数の射出路と、弾性体の復元力により付勢された駆動体が射出路に装填した錘を射出する発射機構とを備える。
【００１０】
これによって、弾性体を圧縮等することで拘束網を射出するためのエネルギーの再生が可能となるので、エネルギー源の交換が不要となる。
【００１１】
また、本発明に係る拘束網射出装置の弾性体がコイルばねであって、発射機構がコイルばねと、そのコイルばねの先端に取着した駆動体と、コイルばねを圧縮する加圧機構と、コイルばねの圧縮状態を開放するトリガー部とを有し、そのトリガー部がコイルばねの圧縮状態を開放すると、駆動体がコイルばねの復元力により加速しながら移動し、駆動体の備える射出ピンが錘を打撃する。
【００１２】
これによって、錘はコイルばねの復元力のみによって発射可能となる。
【００１３】
また、本発明に係る拘束網射出装置の射出路は錘を装填するテーパー状に縮径した端部から徐々に発射口に向けてコイルばねの中心軸に対し放射状に傾斜する。
【００１４】
これによって、錘は射出路から発射後、放射状に飛翔し、連結された拘束網が空中において展開される。
【００１５】
また、本発明に係る拘束網射出装置のコイルばねと駆動体とが中心軸を同一とする筒部材の内部に配置され、その筒部材は射出路近傍に駆動体の移動時の空気抵抗を低減するための排気孔を有する。
【００１６】
これによって、駆動体が筒部材内を空気の抵抗を受けることなしに移動可能となり、駆動体は弾性体から得た運動エネルギーを低減することなく錘に伝えることができる。
【００１７】
また、本発明に係る拘束網射出装置の加圧機構はコイルばねを任意の圧縮状態に保持する保持機構を備え、コイルばねと駆動体とを包囲する筒部材はコイルばねの圧縮状態を視認可能な窓状孔を有する。
【００１８】
これによって、拘束網射出装置の操作者は、対象物の距離に応じて拘束網の飛距離を自在に調整することが可能になる。
【００１９】
また、本発明に係る拘束網射出装置の駆動体は筒部材との接触面に複数の畝状の凸部を、そして筒部材には駆動体との接触面に複数の溝をそれぞれの中心軸方向に備え、駆動体の凸部は筒部材の溝に沿って摺動する。
【００２０】
これによって、駆動体は筒部材内を周方向に回転することなく移動するので、駆動体は錘を正確に打撃することが可能になる。
【００２１】
また、本発明に係る拘束網射出装置の弾性体はコイルばねであって、そのコイルばねと駆動体とが中心軸を同一とする射出路の内部に配置され、発射機構は、コイルばねと、コイルばねの先端に取着した駆動体と、コイルばねの圧縮状態を保持する保持機構と、保持機構を解除してコイルばねの圧縮状態を開放するトリガー部とを有し、そのトリガー部がコイルばねの圧縮状態を開放すると、駆動体がコイルばねの復元力により射出路内を加速しながら移動し、錘を射出する。
【００２２】
これによって、錘は射出路ごとに設けられたコイルばねの復元力によって発射可能となり、より重量のある拘束網をより遠方に飛翔することができる。
【００２３】
また、本発明に係る拘束網射出装置のトリガー部は複数の射出路ごとに配置されたコイルばねの圧縮状態を同時に解除する解除機構を備える。
【００２４】
これによって、各射出路から錘が同時に発射するので、拘束網は狙いを定めた方向に真っすぐ飛翔するとともに、拘束網が均等に展開される。
【発明の効果】
【００２５】
本発明の拘束網射出装置は、拘束網を射出した後、エネルギー源を交換することなしに繰り返し、費用を掛けずに容易に拘束網を射出することができる。
【図面の簡単な説明】
【００２６】
【図１】本発明の実施の形態１における拘束網射出装置の外観図
【図２】本発明の実施の形態１における拘束網の外観図
【図３】本発明の実施の形態１における拘束網射出装置の構造を示す平面図
【図４】本発明の実施の形態１における拘束網射出装置の構造を示す正面図
【図５】本発明の実施の形態１における拘束網射出装置のクランク部の構造を示す図
【図６】本発明の実施の形態１における拘束網射出装置の駆動体の外観図
【図７】本発明の実施の形態１における拘束網射出装置のばね収納筒部材と駆動体との位置関係を示す図
【図８】本発明の実施の形態２における拘束網射出装置の外観図
【図９】本発明の実施の形態２における拘束網射出装置の外観図
【図１０】（ａ）、（ｂ）本発明の実施の形態２における拘束網射出装置の射出路とばね収納筒部材と保持機構の構造を示す図
【図１１】（ａ）、（ｂ）、（C）、（ｄ）本発明の実施の形態２における拘束網射出装置のばねの圧縮状態を保持する保持機構を示す図
【図１２】（ａ），（ｂ）本発明の実施の形態２における拘束網射出装置の発射機構を示す図
【図１３】（ａ），（ｂ）本発明の実施の形態２における拘束網射出装置のばねの圧縮状態を解除する解除機構を示す図
【図１４】従来の拘束網射出装置の構造を示す図
【発明を実施するための形態】
【００２７】
以下本発明の実施の形態について、図面を参照しながら説明する。
【００２８】
（実施の形態１）
図１は、本発明の第1の実施の形態における拘束網射出装置の外観図であり、図２は本発明の実施の形態１における拘束網の外観図である。
【００２９】
図１と図２において、拘束網射出装置は拘束網１と、その拘束網１を収納する拘束網・錘収納部２と、拘束網１をコイルばねの復元力で射出する発射機構を備えた弾性動力部３とから構成される。
【００３０】
拘束網１は、拘束網本体１１の周縁に8カ所、長さ約１５センチメートルの紐部材１３が連結されており、その先には先端が丸くなった銃弾形の鉛製の錘１２が結ばれている。拘束網本体１１はポリエステルの高強度糸からなり、一辺が約２メートルの正方形であって、錘１２を含めた重量は約1キログラムである。
【００３１】
拘束網・錘収納部２は拘束網１を収納する収納部２２と、この収納部２２を囲んで等間隔に８個の発射口２３ａが並んでおり、拘束網１が落下することを防止するためのカバー部材２１がこれに緩嵌する。
【００３２】
弾性動力部３の発射機構は、ばねを圧縮しその復元力で拘束網１に連結された錘を打撃して発射する機構であって、ハンドル３７ｅはそのばねを圧縮するために使用し、トリガー部３８はばねの圧縮状態を開放するものである。このように、錘が発射機構により打撃され発射口２３ａから空中へ発射されると、それに連結している拘束網が錘に牽引されて飛翔し空中で展開する。
【００３３】
次に、図３乃至図５を用いて本発明の実施の形態１における拘束網射出装置の構造を詳細に説明する。
【００３４】
図３は拘束網射出装置の平面図であり、図４は拘束網射出装置の正面図である。図５は切断線B−Bによる断面図である。なお、図３と図４において、拘束網・錘収納部２と弾性動力部３の一部を断面で示している。
【００３５】
図３乃至図５において、拘束網・錘収納部２の収納部２２は発射口側が開口したすり鉢状をしており、底面部２２ｂは閉じられ、裏面には後述する駆動体３３を停止するためのストッパー２２ｃが設けられている。また、射出路２３は発射口２３ａから弾性動力部３まで貫通しており、終端付近では徐々に縮径したテーパー形状をしている。これにより、発射口２３ａから挿入された錘１２は終端で保持される。
【００３６】
さらに、射出路２３は終端から発射口２３ａまでのほぼ中間部分までは中心軸に対し平行に直線であるが、その後やや放射状に傾斜する。これにより、錘１２は発射後、放射状に飛翔し拘束網本体１１を展開する。
【００３７】
また、発射口２３ａから底面部２２ｂにかけて射出路２３と収納部２２と間には図示していないスリットが切られており、錘１２と拘束網本体１１とを結ぶ紐部材１３がこのスリットを通過することで錘１２を射出路２３の終端付近に抵抗なく固定することができる。また、錘１２が打撃され発射口２３ａへ射出路２３を通過中にも紐部材１３が拘束網本体１１に絡まることがない。
【００３８】
弾性動力部３の発射機構はコイルばね３２を収容するばね収納筒部材３１と、ハンドル３７ｅの回転操作によりコイルばね３２を圧縮する加圧機構であるクランク部と、コイルばねの圧縮状態を開放するトリガー部３８とから構成される。ばね収納筒部材３１内のコイルばね３２は、外径５０ｃｍ、内径２８ｃｍ、自由長６０ｃｍのステンレス製であり、発射口側の先端部には駆動体３３が取り付けられ、終端部は仕切部材３５に固定されている。
【００３９】
駆動体３３は図６に示すようにディスク３３ａに錘１２を打撃するための射出ピン３３ｂを周縁近傍に８本、等間隔に取り付けたもので、射出ピン３３ｂはコイルばねに取り付けたときに射出路２３にセットされた錘１２それぞれに対応する位置にある。また、コイルばね３２と接合する面の中央部にはワイヤー３４を結合するためのリング付きピンが取り付けられており、このリング３３ｄは駆動体３３の周方向に回転自在である。さらに、ばね収納筒部材３１の内壁と接触する、ディスク３３ａの外周面の各射出ピン３３ｂに対応する位置にはそれぞれ畝状の凸部３３ｃが設けられている。一方、ばね収納筒部材３１の内壁には各射出路２３に対応する位置にディスク３３ａの凸部３３ｃを規制する溝が中心軸方向に形成されている。
【００４０】
図７は切断線Ａ−Ａにより弾性動力部３を切断した断面図であり、駆動体３３とばね収納筒部材３１との位置関係を示す。駆動体３３とばね収納筒部材３１とはわずかな間隙を有し、凸部３３ｃと溝３１ａにより駆動体３３がばね収納筒部材３１内を移動中に周方向へ回転することが抑制される。これにより、駆動体３３はばね収納筒部材３１内を溝３１ａに沿って摺動し、射出ピン３３ｂが錘１２を正確に打撃する。
【００４１】
さらに、図１にも示すように、ばね収納筒部材３１の発射口側の先端近傍には排気孔３１ｂが設けられている。この排気孔３１ｂは駆動体３３が発射口側に高速で移動する際にばね収納筒部材３１内で生じる空気抵抗を抑えるものであって、周方向に１ないし複数設ける。
【００４２】
また、さらに、ばね収納筒部材３１の上部には駆動体３３の位置を視認するための窓状孔３１ｃが複数設けられている。本実施の形態の拘束網射出装置は、コイルばねの復元力により錘を発射するので、コイルばねの圧縮度合に応じて拘束網の飛距離を調整することが可能である。この窓状孔３１ｃは駆動体３３の位置を視認し、コイルばね３２の圧縮状態を確認して圧縮度合を操作者が調整するのに使用される。
【００４３】
また、ワイヤー３４はコイルばね３２の内部空間を通って駆動体３３のリング３３ｄに一端が連結し、他端は仕切部材３５の貫通孔３５ａを通過し、ガイドプーリー３６を経由してドラム３７ａに連結する。ガイドプーリー３６は仕切部材３５の貫通孔３５ａを通過するワイヤー３４が貫通孔３５ａに接触することを避けるためにワイヤー位置を固定する。
【００４４】
クランク部はドラム３７ａとラチェット機構３７ｃとハンドル３７ｅとからなり、ラチェット機構３７ｃにはトリガー部３８が連結しており、そのトリガー部３８はクランク筒部材３９から突出している。ドラム軸３７ｂにはドラム３７ａと軸受け３７ｄとラチェット機構３７ｃの歯車が嵌合しており、軸受け３７ｄは仕切部材３５と結合した基板部材３５ｂに嵌合している。
【００４５】
また、ドラム軸３７ｂはクランク筒部材３９から突出しており、ハンドル３７ｅはその突出したドラム軸３７ｂ部分に取り外し可能である。このハンドル３７ｅはドラム３７ａにワイヤー３４を巻き取るときにのみ装着し、ハンドル側から見て時計回りに回すことでドラム３７ａにワイヤー３４を巻き取る。このワイヤー３４の長さはばね収納筒部材３１内でコイルばねが自由長となるのに十分なものである。
【００４６】
一方、ドラム３７ａが反時計回りに回転するとラチェット機構３７ｃの歯車の歯に係止爪が係合し歯車を係止する。この係止爪は支点軸３８ａを中心に回転し、トリガー部３８をクランク筒エンド３９ａ側に引くことでラチェット機構３７ｃの係止爪が歯車の歯から外れる。このラチェット機構３７ｃがコイルばねを任意の圧縮状態に保持する保持機構に相当する。
【００４７】
以上のように構成された拘束網射出装置の動作を以下に説明する。
【００４８】
まず、ハンドル３７ｅがドラム軸３７ｂに取り付けられた後、ハンドル３７ｅが装着側から見て時計回りに回されるとドラム３７ａにワイヤー３４が巻き取られる。このとき、ワイヤー３４の先端に結索している駆動体３３がクランク部側へ牽引され、これによりコイルばね３２が圧縮する。このとき、ワイヤー３４と連結するリング３３ｄは回転自在であり、かつ駆動体３３はばね収納筒部材３１内壁の溝に沿って摺動するため、駆動体３３はワイヤー３４のねじれ状態に影響を受けることがない。
【００４９】
次に、ばね収納筒部材３１の上部の窓状孔３１ｃから駆動体３３の位置を確認し、所定の位置まで来たところでハンドル３７ｅの回転を止めると、コイルばねの復元力によりラチェット機構３７ｃの歯車が逆転し、係止爪が歯車に係合しコイルばねは圧縮状態を保持する。そして、不要となったハンドル３７ｅをクランク軸５６から外す。これにより、以降の拘束網発射までの過程におけるハンドル３７ｅの影響が除かれる。
【００５０】
次に、トリガー部３８をクランク筒エンド３９ａ側に引くとラチェット機構３７ｃの係止爪が歯車の歯から外れドラム３７ａの回転が自由になり、コイルばね３２が圧縮状態から解放される。そして、コイルばね３２先端に取り付けている駆動体３３がコイルばね３２の復元力によりばね収納筒部材内を発射口２３ａに向けて加速しながら溝に沿って摺動する。
【００５１】
次に、コイルばねが伸びきる前に駆動体３３はばね収納筒部材３１の先端に到達し射出ピン３３ｂが射出路２３終端に保持されている錘１２を打撃する。その後、駆動体３３は収納部２２の底面部２２ｂに設けられたストッパー２２ｃに衝突し停止する。コイルばね３２はこのとき自由長の状態になる。
【００５２】
一方、打撃された錘１２は駆動体３３から得た運動エネルギーにより射出路２３を高速で移動するが、射出路２３は途中から中心軸に対し放射状に傾斜しているので８個の錘１２は発射口２３ａから発射された後、それぞれ軸線に対し放射状に飛翔する。このとき、カバー部材２１は錘１２の衝突により脱落する。そして、錘１２に紐部材１３を介して連結した拘束網本体１１は錘１２に牽引されることで収納部２２から射出され、空中において展開しながら飛翔する。
【００５３】
なお、本実施の形態では、ハンドル３７ｅをばね圧縮状態になったときに外すようにしたが、これに限らず、ドラム軸３７ｂとハンドル３７ｅとの接合部にクラッチを設け、圧縮状態になったときクラッチを切ることでドラム軸３７ｂの回転がハンドル３７ｅに伝わらない構成にすることも可能である。
【００５４】
以上のように、本実施の形態においては、拘束網１を射出するための動力源がコイルばねであって、そのコイルばねを圧縮する機構を実現することにより、拘束網１を射出するエネルギーが容易に再生可能となり、動力源を交換することなしに繰り返し使用することができる。
【００５５】
また、ばね収納筒部材３１の複数の窓状孔３１ｃからコイルばねの圧縮状態を確認可能なので、対象物の距離に応じて拘束網の飛距離を調整することが容易にできる。
【００５６】
（実施の形態２）
本実施の形態における拘束網射出装置は、錘を射出するための動力源を錘ごとに備えている点が第１の実施の形態の拘束網射出装置と異なる。また、第１の実施の形態の拘束網射出装置の加圧機構は、コイルばねを圧縮する機構と圧縮状態を保持する保持機構とを備えているが、本実施の形態における拘束網射出装置は、保持機構のみ備えている点が異なる。
【００５７】
以下に、第1の実施の形態における拘束網射出装置との相違点を中心に説明する。
【００５８】
図８と図９は、本発明の第２の実施の形態における拘束網射出装置の一部を透過した外観図であり、図８は発射口側から見た外観図であり、図９は発射機構側から見た外観図である。
【００５９】
図８と図９において、拘束網射出装置は拘束網１と、その拘束網１を収納する収納部２２と、拘束網１の錘１２を射出する射出路２３と、拘束網１の錘１２をコイルばねの復元力で射出する発射機構とから構成される。
【００６０】
本実施の形態の拘束網射出装置では、射出路２３と発射機構のばね収納筒部材３１とは連続した一本の筒であり、収納部２２を囲うように４本の筒それぞれがトリガー部側から発射口側へ中心線に対して放射状に配置されている。そして、ばね収納筒部材３１の終端部にはコイルばねの圧縮状態を保持するための保持機構４１と、その保持機構４１の保持機能を解除する解除機構５１が設けられ、この解除機構５１とトリガーハンドル３８ｂとがトリガー部を構成している。なお、射出路２３とばね収納筒部材３１とはアルミニウム製であるが、透過した図により錘１２を装填した状態での筒内部に配置されたコイルばね３２と駆動体３３と錘１２の配置を示している。
【００６１】
これらコイルばね３２と駆動体３３とを内蔵するばね収納筒部材３１と保持機構４１とトリガー部とが発射機構を構成している。
【００６２】
カバー部材２１は、第１の実施の形態と同様に拘束網１が開口部２２ａから外に落下することを防止するためのもので、発射までの間は開口部２２ａと緩嵌している。
【００６３】
また、本実施の形態の拘束網１は、第1の実施の形態における拘束網と異なり、図２に示す拘束網本体１１の周縁の内、４隅（ａ、ｂ、ｃ、ｄ）にのみ、長さ約３０センチメートルの紐部材１３が連結されており、その先には先端が平たい砲弾型の鉄製の錘にゴムを被膜した錘１２が結ばれている。この錘１２の重量は約２００グラムである。拘束網本体１１はポリエステルの高強度糸からなり、一辺が約３メートルの正方形であって、錘１２を含めた拘束網全体の重量は約１．５キログラムである。
【００６４】
次に、図１０と図１１を用いて本実施の形態における拘束網射出装置の射出路２３とばね収納筒部材３１の構造を説明する。
【００６５】
図１０は射出路とばね収納筒部材とを示す断面図である。
【００６６】
図１０において、射出路２３とばね収納筒部材３１とはアルミニュウム製の連続した一つの筒を形成しており、全長は４３０ミリメートルである。筒には、吸排気孔３１ｂが複数設けられている他、錘１２が装填されたときに、錘をホールドするためのマグネット２３ｂが装填位置に埋め込まれている。
【００６７】
この筒の内部にはコイルばね３２が筒と中心軸を同一とするように配置されている。コイルばねの外径は３２ミリメートルで、自由長は３００ミリメートル、線径は５ミリメートルであり、ステンレス製である。このコイルばねは圧縮状態をより密着させるために角ばねであることが好ましい。
【００６８】
コイルばね３２のトリガー部側の端はコイルばね３２と中心軸を同一とし、コイルばね３２の内部に位置する内筒３３ｈに固定しており、コイルばね３２の発射口側は錘１２を射出するビストンヘッド３３ｅに接合している。このピストンヘッド３３ｅとピストンロッド３３ｆとピストンエンド３３ｇとが駆動体３３を構成しており、ピストンヘッド３３ｅは射出路２３内を摺動し、ピストンエンド３３ｇは内筒３３ｈ内を摺動する。また、内筒３３ｈの発射口側の端面はピストンエンド３３ｇが発射口側へ移動したときのストッパーの役目を果たす。
【００６９】
保持機構４１は、アウタースリーブ４１ａとインナースリーブ４１ｂとボール４１ｃとロックばね４１ｄとから構成される。アウタースリーブ４１ａは一部がボール４１ｃの外側に位置し、軸方向に移動可能である。インナースリーブ４１ｂはボール４１ｃの内側に位置し、軸方向に移動可能であるが、発射口側への移動はアウタースリーブ４１ａに取り付けられたピン４１ｅにより制限される。ボール４１ｃは内筒３３ｈに設けられた丸孔内に位置し、アウタースリーブ４１ａ側とインナースリーブ４１ｂ側に移動可能である。ロックばね４１ｄはアウタースリーブ４１ａのトリガー部側底面とインナースリーブ４１ｂのトリガー部側端との間に位置し、両スリーブはロックばね４１ｄにより押圧される。
【００７０】
図１１はこの保持機構４１によるコイルばね３２を圧縮状態に保持する動作を説明する断面図である。
【００７１】
図１１（ａ）において、ピストンエンド３３ｇはコイルばね３２が圧縮開始された直後であり保持機構４１まで到達していない。このときは、ボール４１ｃはインナースリーブ４１ｂにブロックされているためアウタースリーブ４１ａから押圧されるが移動できず、アウタースリーブ４１ａがトリガー部側へ移動するのを阻止している。
【００７２】
図１１（ｂ）は、コイルばね３２が圧縮され、ピストンヘッド３３ｅが保持機構４１まで到達した状態を示す。このとき、ピストンエンド３３ｇはまだインナースリーブ４１ｂを押圧していない。
【００７３】
図１１（ｃ）は、さらにコイルばね３２が圧縮され、ピストンエンド３３ｇがインナースリーブ４１ｂを押圧した状態を示す。このとき、インナースリーブ４１ｂはロックバネ４１ｄを圧縮しながらトリガー部側へ移動するが、ボール４１ｃは今度はピストンエンド３３ｇの端部にブロックされ、内側に移動することができない。このため、アウタースリーブ４１ａは引き続き、トリガー部側への移動を阻止される。
【００７４】
図１１（ｄ）は、さらにコイルばね３２が圧縮され、ピストンエンド３３ｇがトリガー部側への移動した状態を示す。このとき、ボール４１ｃがピストンエンド３３ｇに設けられた溝へ落ち込む。このとき、コイルばね３２の圧縮動作を止めても、ピストンエンド３３ｇはボール４１ｃにより発射口側への移動を阻止され、駆動体３３はロック状態となる。
【００７５】
一方、アウタースリーブ４１ａのロック状態は解除されるので、アウタースリーブ４１ａはロックばね４１ｄに押圧されトリガー部側の終端部まで移動する。このとき、アウタースリーブ４１ａが弾性動力部３の底面と衝突したときの衝撃とその衝撃音によりコイルばね３２が圧縮状態でロックされたことを操作者は確知できる。
【００７６】
次に、図１２と図１３を用いて本実施の形態における拘束網射出装置のトリガー部３８の構造と動作を説明する。
【００７７】
図１２は本発明の実施の形態２における拘束網射出装置のトリガー部３８を示す図であり、図１３はそのトリガー部３８の解除機構が保持機構によるコイルばねのロック状態を解除する動作を示す図である。
【００７８】
図１２（ａ）はトリガーハンドル３８ｂを引く前の定常状態を示し、図１２（ｂ）はトリガーハンドル３８ｂを引いた状態を示す。図１２（ａ）、（ｂ）において、トリガー部３８は、トリガーハンドル３８ｂと支点軸３８ａとトリガーロッド５１ａとリリースレバー５１ｂと支点軸５１ｃとからなり、さらにトリガーロッド５１ａにはリリースリング５１ｄがはめ込まれている。このリリースリング５１ｄは４つのリリースレバー５１ｂを同時に押し出すためのものである。
【００７９】
トリガーハンドル３８ｂが引かれると、支点軸３８ａを中心にトリガーロッド５１ａが発射口側へ移動する。そして、トリガーロッド５１ａにはめ込まれたリリースリンク５１ｄが４つのリリースレバー５１ｂを同時に押し出す。
【００８０】
図１３（ａ）、（ｂ）はリリースレバー５１ｂが保持機構４１のロック状態を解除する動作を説明する図である。
【００８１】
図１３（ａ）はリリースレバー５１ｂがトリガーロッド５１ａに押される前の待機状態であり、このときリリースレバー５１ｂの作用点５１ｂ２はアウタースリーブ４１ａの底面に接触していない。
【００８２】
次に、図１３（ｂ）に示すようにトリガーハンドル３８ｂが引かれリリースレバー５１ｂの力点５１ｂ１が発射口側へ押されると、リリースレバー５１ｂの作用点５１ｂ２がアウタースリーブ４１ａを発射口側へ押し出す。すると、アウタースリーブ４１ａの発射口側端部でボール４１ｃを押さえていた部分が移動しボール４１ｃの外側に空間が生じるので、ロックばね４１ｄにより押圧されていたインナースリーブ４１ｂを介して加圧されたピストンエンド３３ｇはボール４１ｃを外側に押し出し、ピストンエンド３３ｇとピストンロッド３３ｆとピストンヘッド３３ｅとからなる駆動体３３のロックが解除される。
【００８３】
以上のように構成された拘束網射出装置の動作を以下に説明する。
【００８４】
まず、拘束網を発射するための準備段階での拘束網射出装置の動作を説明する。
【００８５】
最初に、操作者は発射口２３ａからスチール棒などを用いて射出路２３内にあるピストンヘッド３３ｅを押し込み、コイルばね３２を圧縮する。さらにピストンヘッド３３ｅを押し込むと、それに連結したピストンエンド３３ｇが保持機構４１のインナースリーブ４１ｂを押し込み、ボール４１ｃがピストンエンド３３ｇの溝に落ち込みピストンエンド３３ｇをロックする。それとともに、アウタースリーブ４１ａがロックばね４１ｄに押圧されてトリガー部側の終端部までいっきに移動し、トリガー部側底面と衝突し衝撃音を発する。操作者はこの衝撃と衝撃音によりコイルバネが圧縮状態で保持されたことを確知し、ピストンヘッド３３ｅを押し込むことを止める。
【００８６】
なお、ピストンヘッド３３ｅやピストンエンド３３ｇが射出路２３やばね収納筒部材３１内を摺動する際に、吸排気孔３１ｂから筒内の空気を排出したり、筒外から空気を吸引することができるため、ピストンヘッド３３ｅやピストンエンド３３ｇは空気抵抗を生じることがなく移動することができる。
【００８７】
次に、操作者は収納部２２に拘束網を収納し、錘１２を発射口２３ａからピストンヘッド３３ｅへ接触するまで押し込むことで射出路２３内に装填する。このとき、射出路２３の装填位置にはマグネット２３ｂが取り付けられているので、鉄製の錘１２は磁力によりその位置で保持される。このため、射出路２３の発射口が下方に向けられた場合でも、錘１２が発射口から落下することはない。
【００８８】
最後に、カバー部材２１を開口部２２ａに緩嵌して発射準備が完了する。
【００８９】
次に、拘束網射出装置の発射動作を説明する。
【００９０】
操作者がターゲットに向けて拘束網射出装置を構えたのち、トリガーハンドル３８ｂを引くと、トリガーロッド５１ａにはめ込まれたリリースリング５１ｄが各保持機構４１に対応して設けられたリリースレバー５１ｂを同時に押し込む。
【００９１】
すると、リリースレバー５１ｂの作用点５１ｂ２が保持機構４１のアウタースリーブ４１ａの底面を押圧し、アウタースリーブ４１ａが発射口側に移動する。これにより、ピストンエンド３３ｇの溝にあったボール４１ｃが溝の外に移動しピストンエンド３３ｇのロックが解除され、コイルばね３２が圧縮状態から解放される。そして、コイルばね３２の先端に取り付けているピストンヘッド３３ｅがコイルばね３２の復元力により射出路２３内を発射口２３ａに向けて加速しながら摺動する。このとき、錘１２もピストンヘッド３３ｅに押出されて加速しながら摺動する。
【００９２】
次に、コイルばねが伸びきる前にピストンエンド３３ｇが内筒３３ｈの発射口側の端面に衝突し、ピストンヘッド３３ｅはそれ以上発射口側へ移動しないで停止する。一方、錘１２はそのまま射出路２３を進み、発射口２３ａから発射され、４つの錘はそれぞれ放射状に飛翔する。そして、錘１２に紐部材１３を介して連結した拘束網本体１１は錘１２に牽引されることで収納部２２から射出され、空中において展開しながら飛翔する。このとき、カバー部材２１は拘束網本体１１によって緩嵌していた開口部２２ａから脱落する。
【００９３】
以上のように、本実施の形態においては、拘束網１を射出するための動力源が錘ごとに独立して設けられているので、第１の実施の形態で示した拘束網射出装置と比べ、重量のより大きな拘束網１であっても、１０メートル以上の飛距離を飛翔させることができる。
【００９４】
また、本実施の形態の拘束網射出装置も動力源がコイルばねであるので、動力源を交換することなしに繰り返し使用することができる。
【産業上の利用可能性】
【００９５】
本発明は、拘束網を射出する拘束網射出装置に有用であり、繰り返し拘束網を射出するのに適している。
【符号の説明】
【００９６】
１      拘束網
２      拘束網・錘収納部
３      弾性動力部
１１    拘束網本体
１２    錘
１３    紐部材
２１    カバー部材
２２    収納部
２２ａ  開口部
２２ｂ  底面部
２２ｃ  ストッパー
２３    射出路
２３ａ  発射口
３１    ばね収納筒部材
３１ａ  溝
３１ｂ  吸排気孔
３１ｃ  窓
３２    コイルばね
３３    駆動体
３３ａ  ディスク
３３ｂ  射出ピン
３３ｃ  凸部
３３ｄ  リング
３３ｅ  ピストンヘッド
３３ｆ  ピストンロッド
３３ｇ  ピストンエンド
３４    ワイヤー
３５    仕切部材
３５ａ  貫通孔
３５ｂ  基板部材
３６    ガイドプーリー
３７ａ  ドラム
３７ｂ  ドラム軸
３７ｃ  ラチェット機構
３７ｄ  軸受
３７ｅ  ハンドル
３８    トリガー部
３８ａ  支点軸
３８ｂ  トリガーハンドル
３９    クランク筒部材
３９ａ  クランク筒エンド
４１    保持機構
４１ａ  アウタースリーブ
４１ｂ  インナースリーブ
４１ｃ  ボール
４１ｄ  ロックばね
４１ｅ  ピン
５１    解除機構
５１ａ  トリガーロッド
５１ｂ  リリースレバー
５１ｃ  支点軸
５１ｄ  リリースリング
【図１】
2018197645.tif 000003
【図２】
2018197645.tif 000004
【図３】
2018197645.tif 000005
【図４】
2018197645.tif 000006
【図５】
2018197645.tif 000007
【図６】
2018197645.tif 000008
【図７】
2018197645.tif 000009
【図８】
2018197645.tif 000010
【図９】
2018197645.tif 000011
【図１０】
2018197645.tif 000012
【図１１】
2018197645.tif 000013
【図１２】
2018197645.tif 000014
【図１３】
2018197645.tif 000015
【図１４】
2018197645.tif 000016